(57)【特許請求の範囲】
【請求項１】
輝度信号と、搬送色信号と、上記搬送色信号の帯域内に含まれ、且つ所定のライン番号に含まれる変調解像度補強信号とが多重化されたコンポジット信号を、コンポーネント信号として、記録媒体にブロック単位で圧縮して記録するようにしたテレビジョン信号の記録装置であって、
上記コンポジット信号が供給され、上記輝度信号と上記搬送色信号とを分離するためのＹ／Ｃ分離手段と、
上記Ｙ／Ｃ分離手段の輝度信号出力に対して上記変調解像度補強信号を復調して成る解像度補強信号に所定のＤＣセットアップ値を付加して加算する手段と、
上記解像度補強信号と画像部の信号とを跨ぐ上記ブロックが含まれるラインの上記画像部側の信号レベルを上記ＤＣセットアップ値のレベルと略等しくして上記解像度補強信号と上記画像部の信号との間のレベル段差を除去する手段と、
上記搬送色信号を復調して色差信号を出力する手段と、
上記解像度補強信号を含むアナログまたはディジタル輝度信号と、二つのアナログまたはディジタル色差信号とからなるコンポーネント信号が入力され、上記コンポーネント信号に対して記録処理を施すことによって記録信号を生成し、上記記録信号を記録媒体に記録するためのディジタルビデオ信号記録手段と
を備えたテレビジョン信号の記録装置。
【請求項２】
請求項１に記載の記録装置において、
上記記録手段は、上記ブロック毎にＤＣＴを用いて画像データを圧縮する符号化手段を有することを特徴とするテレビジョン信号の記録装置。
【請求項３】
請求項１に記載の記録装置において、
上記コンポジット信号は、レターボックス形式で伝送される信号であり、
上記レターボックス形式の無画部の所定のライン番号の位置に対して、上記解像度補強信号が配置されることを特徴とするテレビジョン信号の記録装置。
【請求項４】
請求項１に記載の装置において、
上記テレビジョン信号の方式は、６２５本／５０Ｈｚであることを特徴としたテレビジョン信号の記録装置。
【請求項５】
請求項１に記載の装置において、
上記テレビジョン信号の方式は、５２５本／６０Ｈｚであることを特徴としたテレビジョン信号の記録装置。
【請求項６】
輝度信号と、搬送色信号と、上記搬送色信号の帯域内に含まれ、且つ所定のライン番号に含まれる変調解像度補強信号とが多重化されたコンポジット信号を、コンポーネント信号として、記録媒体にブロック単位で圧縮して記録するようなテレビジョン信号の記録方法であって、
上記コンポジット信号が供給され、上記輝度信号と上記搬送色信号とを分離するためのＹ／Ｃ分離のステップと、
上記Ｙ／Ｃ分離手段の輝度信号出力に対して上記変調解像度補強信号を復調して成る解像度補強信号に所定のＤＣセットアップ値を付加して加算するステップと、
上記解像度補強信号と画像部の信号とを跨ぐ上記ブロックが含まれるラインの上記画像部側の信号レベルを上記ＤＣセットアップ値のレベルと略等しくして上記解像度補強信号と上記画像部の信号との間のレベル段差を除去するステップと、
上記搬送色信号を復調して色差信号を出力するステップと、
上記解像度補強信号を含むアナログまたはディジタル輝度信号と、二つのアナログまたはディジタル色差信号とからなるコンポーネント信号が入力され、上記コンポーネント信号に対して記録処理を施すことによって記録信号を生成し、上記記録信号を記録媒体に記録するためのディジタルビデオ信号記録のステップと
からなるテレビジョン信号の記録方法。
【発明の詳細な説明】
【０００１】
【産業上の利用分野】
この発明は、テレビジョン信号、例えばＰＡＬｐｌｕｓ方式に準拠したテレビジョン信号を、ディジタル的に記録する装置および方法に関する。
【０００２】
【従来の技術】
国内外におけるテレビジョン放送では、現行の放送と両立性を保ちつつ、１チャンネルの周波数帯域、例えば６ＭＨｚの中で、高画質化および画面のワイド化が図られている。これは、現行の放送の方式に対し、そのアスペクト比（画面の縦横の長さの比）が（９：１６）と、横長なワイド画面であることが大きな特徴とされている。現行でＰＡＬ方式が採用されている西欧諸国などにおいては、この次世代テレビジョン放送の方式としてＰＡＬｐｌｕｓ方式が提案されている。
【０００３】
図２７にこのＰＡＬｐｌｕｓ方式で受信された画像の例を示す。図２７Ａは、現行のアスペクト比が（３：４）の画面のテレビジョン受像機に、ＰＡＬｐｌｕｓ方式で放送された映像を映出した様子である。現行の、ＰＡＬｐｌｕｓのデコーダが装備されていず、アスペクト比が３：４のテレビジョン受像機では、図２７Ａのように、主画部の上下に無画部が配置された画面となる。これは、ＰＡＬｐｌｕｓ方式ではレターボックス形式で信号が伝送されているためである。この映像をＰＡＬｐｌｕｓに対応したデコーダを備えたテレビジョン受像機に映出させると、図２６Ｂのようになり、ワイドな画面を楽しむことができる。
【０００４】
レターボックス形式で主画部のみを伝送した場合、画面高が現行のテレビジョン受像機と一致する画面サイズで考えると、水平方向の空間解像度および垂直方向の空間解像度が何れも約３／４に低下してしまう。この問題を解決するために、ＰＡＬｐｌｕｓでは、垂直解像度補強信号（ヘルパー信号と称される）を伝送している。
【０００５】
このＰＡＬｐｌｕｓ信号の、伝送信号のラインおよび画素割り当ての詳細を図２８に示す。この図において、横軸が１３．５ＭＨｚでサンプリングした場合のサンプル番号、縦軸がライン番号を表す。横軸に関しては、サンプル番号１０〜７１１までが画面の有効エリアである。第２３ラインに対して、ワイド画面であるか否か、また、後述するヘルパー信号の有無の識別等の識別、制御用の信号であるＷＳＳ（Ｗｉｄｅ  Ｓｃｒｅｅｎ  Ｓｉｇｎａｌｌｉｎｇ）ビット、およびヘルパー基準バースト信号が割り当てられている。このヘルパー基準バースト信号は、−Ｕ位相の色副搬送波信号である。また、第６２３ラインにはホワイトレベルおよびブラックレベルの基準信号が割り当てられている。第２４〜５９ライン、および第３３６〜３７１ラインが上部無画部であり、第２７５〜３１０ライン、および第５８７〜６２２ラインが下部無画部である。また、これら上下の無画部に挟まれる形の、第６０〜２７４ライン、および第３７２〜５８６ラインが主画部である。
【０００６】
上述のヘルパー信号は、上部無画部および下部無画部に挿入される。なお、ＰＡＬｐｌｕｓ方式では、水平解像度については特に対策を施していない。
【０００７】
図２９Ａに、このＰＡＬｐｌｕｓ方式による輝度信号Ｙおよび色信号Ｃの信号スペクトルを示す。Ｙ信号に対して、色副搬送波周波数４．４３ＭＨｚで変調されたＣ信号が周波数多重されている。また、図２９Ｂにヘルパー信号の信号スペクトルを示す。この信号も色副搬送波周波数４．４３ＭＨｚでＵ軸変調されており、約０．５〜５ＭＨｚまでの帯域を有している。
【０００８】
主画部は、６２５本（有効走査線５７６本）順次走査の画素を４−３の走査線変換により有効走査線４３０本の信号に変換した後、所定の垂直ローパスフィルタ処理を行い、飛び越し走査に変換したものである。このとき、４−３変換されているために垂直解像度が劣化している。そのため、劣化した垂直解像度を補強するために、上述したヘルパー信号が伝送される。
【０００９】
また、映像信号およびオーディオ信号を、ディジタル信号の形態でカセットテープに記録し、また再生するようにした、ディジタルＶＣＲ（デジタルビデオカセットレコーダ）が提案されている。この方式に使用される磁気テープは、幅１／４インチとされており、カセットに収められている。このカセットは、２種類の大きさのものが用意されており、標準カセットで横１２５ｍｍ×縦７８ｍｍ×高さ１４．６ｍｍ、小型カセットとして横６６ｍｍ×縦４８ｍｍ×高さ１２．２ｍｍとされている。また、記録時間は、現行テレビジョン信号を記録する場合で、標準カセットで最大４時間３０分、小型カセットで最大１時間とされている。
【００１０】
ディジタルＶＣＲへの映像入出力信号は、ＣＣＩＲ（国際無線通信諮問委員会、現ＩＴＵ−ＲＳ）勧告６０１の（４：２：２）コンポーネント信号である。この信号がディジタルＶＣＲに入力され、サンプリング周波数変換回路により所定のコンポーネント信号に変換される。これは例えば、日本や米国等で使用されているＮＴＳＣ方式などのような入力信号が５２５本／６０Ｈｚの場合には、（４：１：１）コンポーネント信号とされ、また西欧や中国などで使用されているＰＡＬ方式のような入力信号が６２５本／５０Ｈｚの場合には、色差信号ＣＲ  およびＣＢ  が線順次化された（４：２：０）コンポーネント信号とされる。この変換されたコンポーネント信号は、圧縮され、誤り訂正符号を付加され、記録符号化され上述の磁気テープに記録される。また、このディジタルＶＣＲの記録／再生帯域は、輝度信号で、６．３ＭＨｚを有している。
【００１１】
図３０は、ＰＡＬｐｌｕｓのような、６２５本／５０Ｈｚ方式におけるディジタルＶＣＲのサンプリング規格を示す。図３０Ａに示す輝度信号Ｙについては、サンプリングクロックが１３．５ＭＨｚであって、第１フィールドにおいては、最初に第２３ラインからサンプリングが開始され、以降、順次ラインがサンプリングされる。また、第１フィールドの有効エリアのサンプリングが終了すると、第２フィールドの第３３５ラインから同様にサンプリングが開始される。
【００１２】
図３０Ｂは、色差信号ＣＢ  ／ＣＲ  のサンプリングの様子を示す。ＰＡＬｐｌｕｓ方式においては、色差信号ＣＢ  ／ＣＲ  が線順次化され間引かれているため、このように、サンプリングクロックが６．７５ＭＨｚとされる。そして、第１フィールドにおいては、最初に色差信号ＣＲ  が乗せられている第２３ラインがサンプリングされ、次に色差信号ＣＲ  が乗せられている第２４ラインがサンプリングされ、というように、色差信号ＣＢ  およびＣＲ  の乗せられているラインが交互にサンプリングされる。また、第１フィールドの有効エリアのサンプリングが終了すると、第２フィールドの第３３５ラインから同様に、色差信号ＣＢ  およびＣＲ  のラインが交互にサンプリングされる。
【００１３】
【発明が解決しようとする課題】
ここで、上述のＰＡＬｐｌｕｓ方式によるテレビジョン信号をディジタルＶＣＲのテープ上に記録再生する場合について考える。
【００１４】
ディジタルＶＣＲにおいて信号はコンポーネント信号の形態で扱われる。そのため、ＰＡＬｐｌｕｓ信号は、コンポーネント信号に変換されなければならない。このとき、輝度信号Ｙおよび搬送色信号Ｃについては、従来のＰＡＬ信号と何ら変わるところがないため、問題なく記録できる。また、ＰＡＬｐｌｕｓ信号に特有のヘルパー信号は、４．４３ＭＨｚで変調されているため、搬送色信号Ｃと同等に扱われる。ところが、このヘルパー信号は、帯域が１ＭＨｚ程度の搬送色信号Ｃに対して、上述したように帯域が広いため、搬送色信号Ｃとして記録ができない問題がある。
【００１５】
さらに、ディジタルＶＣＲでは、色差信号ＣＲ  （Ｒ−Ｙ）、ＣＢ  （Ｂ−Ｙ）を線順次信号に変換して記録するので、ヘルパー信号を搬送色信号Ｃとして扱ってしまうと、ヘルパー信号が搬送色信号Ｃと同様に間引かれてしまうので、垂直解像度補強の効果が期待できないという問題がある。
【００１６】
そこで、本願発明者によって、このヘルパー信号を、輝度信号Ｙの無画部の期間に挿入し、記録を行なう方法が提案されている。ところが、このようにヘルパー信号を輝度信号Ｙに挿入し、以降の処理を輝度信号として処理しようとする場合、以降に行なわれる、ＤＣＴによる画像圧縮の際に問題が生じる。
【００１７】
この画像圧縮方法によれば、１フレームを、例えば（８×８）画素単位のブロックに分け、この（８×８）のＤＣＴブロック毎にＤＣＴが行なわれる。その際、図３１に示すように、このＤＣＴブロックが無画部と主画部との境界を跨いでしまった場合、主画部における輝度信号Ｙと無画部におけるヘルパー信号との間でレベル段差が生じ、このヘルパー信号においてＤＣＴ圧縮歪が発生する。この例では、第１フィールドの第６０ライン〜第６２ラインおよび第２フィールドの第３７２ライン〜第３７４ラインの主画部に掛かるＤＣブロックが無画部と主画部との境界を跨いでいる。ここで、この主画部に隣接するラインのヘルパー信号は、画面中央部に対する垂直解像度補強信号であるため、図３２に示すように、ＰＡＬｐｌｕｓ復調画の画面中央部に、線状の歪が生じてしまう。
【００１８】
したがって、この発明の目的は、例えばＰＡＬｐｌｕｓ方式のような垂直解像度補強信号が多重化されたテレビジョン信号を、ディジタル的に記録できる記録装置および方法を提供することにある。
【００１９】
【課題を解決するための手段】
この発明は、上述した課題を解決するために、輝度信号と、搬送色信号と、搬送色信号の帯域内に含まれ、且つ所定のライン番号に含まれる変調解像度補強信号とが多重化されたコンポジット信号を、コンポーネント信号として、記録媒体にブロック単位で圧縮して記録するようにしたテレビジョン信号の記録装置であって、コンポジット信号が供給され、輝度信号と搬送色信号とを分離するためのＹ／Ｃ分離手段と、Ｙ／Ｃ分離手段の輝度信号出力に対して変調解像度補強信号を復調して成る解像度補強信号に所定のＤＣセットアップ値を付加して加算する手段と、解像度補強信号と画像部の信号とを跨ぐブロックが含まれるラインの画像部側の信号レベルをＤＣセットアップ値のレベルと略等しくして解像度補強信号と画像部の信号との間のレベル段差を除去する手段と、搬送色信号を復調して色差信号を出力する手段と、解像度補強信号を含むアナログまたはディジタル輝度信号と、二つのアナログまたはディジタル色差信号とからなるコンポーネント信号が入力され、コンポーネント信号に対して記録処理を施すことによって記録信号を生成し、記録信号を記録媒体に記録するためのディジタルビデオ信号記録手段とを備えたテレビジョン信号の記録装置である。
【００２０】
またこの発明は、上述した課題を解決するために、輝度信号と、搬送色信号と、搬送色信号の帯域内に含まれ、且つ所定のライン番号に含まれる変調解像度補強信号とが多重化されたコンポジット信号を、コンポーネント信号として、記録媒体にブロック単位で圧縮して記録するようなテレビジョン信号の記録方法であって、コンポジット信号が供給され、輝度信号と搬送色信号とを分離するためのＹ／Ｃ分離のステップと、Ｙ／Ｃ分離手段の輝度信号出力に対して変調解像度補強信号を復調して成る解像度補強信号に所定のＤＣセットアップ値を付加して加算するステップと、解像度補強信号と画像部の信号とを跨ぐブロックが含まれるラインの画像部側の信号レベルをＤＣセットアップ値のレベルと略等しくして解像度補強信号と画像部の信号との間のレベル段差を除去するステップと、搬送色信号を復調して色差信号を出力するステップと、解像度補強信号を含むアナログまたはディジタル輝度信号と、二つのアナログまたはディジタル色差信号とからなるコンポーネント信号が入力され、コンポーネント信号に対して記録処理を施すことによって記録信号を生成し、記録信号を記録媒体に記録するためのディジタルビデオ信号記録のステップとからなるテレビジョン信号の記録方法である。
【００２１】
【作用】
この発明は、上述のような構成を有するために、ＰＡＬｐｌｕｓ信号に含まれるヘルパー信号を、輝度信号として記録できる。また、この発明は、解像度補強信号と画像部の信号との間のレベル段差を除去する手段を有しているために、ヘルパー信号の圧縮歪を抑えることができる。したがって、ディジタルＶＣＲにＰＡＬｐｌｕｓ信号を、支障なく記録することができる。
【００２２】
【実施例】
ここで、この発明の一実施例に説明に先んじて、この発明の理解を容易にするために、ディジタルＶＣＲ（ビデオカセットレコーダ）の一例について説明する。この例では、コンポジットディジタルカラービデオ信号が輝度信号Ｙ、色差信号ＣＲ  およびＣＢ  に変換され、ＤＣＴ変換と可変長符号を用いた高能率符号を用いた高能率圧縮方式により圧縮され、回転ヘッドにより磁気テープに記録される。記録方式としては、ＳＤ方式（５２５ライン／６０Ｈｚ、６２５ライン／５０Ｈｚ）とＨＤ方式（１１２５ライン／６０Ｈｚ、１２５０ライン／５０Ｈｚ）とが設定できる。
【００２３】
ＳＤ方式の場合には、１フレーム当たりのトラック数が１０トラック（６２５ライン／５０Ｈｚの場合）、または１２トラック（５２５ライン／６０Ｈｚの場合）、ＨＤ方式の場合には、１フレーム当たりのトラック数がＳＤ方式の倍、つまり、２０トラック（１１２５ライン／６０Ｈｚの場合）、または２４トラック（１２５０ライン／５０Ｈｚの場合）である。
【００２４】
このようなディジタルＶＣＲにおいて、データ管理が容易で、ディジタルＶＣＲを汎用性のある記録再生装置として利用可能とするためのシステムとして、本願出願人は、先にアプリケーションＩＤなるシステムを提案している。このシステムを用いると、ビデオの予備データＶＡＵＸ（Ｖｉｄｅｏ  Ａｕｘｉｌｉａｒｙ  ｄａｔａ）  、オーディオの予備データＡＡＵＸ（Ａｕｄｉｏ  Ａｕｘｉｌｉａｒｙ  ｄａｔａ）やサブコード、およびＭＩＣ（Ｍｅｍｏｒｙ  Ｉｎ  Ｃａｓｓｅｔｔｅ）  と呼ばれるメモリを有するメモリ付カセットの管理が容易となる。そして、パックを用いて、オーディオデータのアフレコやビデオデータのインサートおよびＶブランキング期間に多重されているデータ（放送局の運用信号や医療用信号等）を記録している。
【００２５】
まず、このアプリケーションＩＤシステムに関して説明する。この発明が適用されたディジタルＶＣＲのテープでは、図１０Ａに示すように、テープ上に斜めトラックが形成される。１フレーム当たりのトラック数は、上述のように、ＳＤ方式で１０トラックと１２トラック、ＨＤ方式で２０トラックと２４トラックである。図１０Ｂは、ディジタルＶＣＲに用いられるテープの１本のトラックを示す。トラック入口側には、ＩＴＩ（Ｉｎｓｅｒｔ  ａｎｄ  Ｔｒａｃｋ  Ｉｎｆｏｒｍａｔｉｏｎ）なるアフレコを確実に行うためのタイミングブロックが設けられる。これは、それ以降のエリアに書かれたデータをアフレコして書き直す場合に、そのエリアの位置決めを正確にするために設けられるものである。
【００２６】
どのようなディジタル信号記録再生応用装置においても、特定エリアのデータの書き換えは必須なので、このトラック入口側のＩＴＩエリアは必ず存在することになる。つまり、ＩＴＩなるエリアに短いシンク長のシンクブロックを多数個書いておき、その中にトラック入口側から順にそのシンク番号を振っておく。アフレコをしようとする時、このＩＴＩエリアのシンクブロックのどれかを検出できれば、そこに書いてある番号から現在のトラック上の位置が正確に判断できる。それに基づいて、アフレコのエリアを確定することができる。一般的に、トラック入口側は、メカ精度等の関係からヘッドの当たりが取り難く不安定である。そのために、シンク長を短くして多数個のシンクブロックを書いておくことにより、検出確率を高くしている。
【００２７】
このＩＴＩエリアは、図１１に示すように、プリアンブル、ＳＳＡ、ＴＩＡおよびポストアンブルの４つの部分からなる。１４００ビットのプリアンブルは、ディジタル信号再生のＰＬＬのランインの働き等をする。ＳＳＡ（Ｓｔａｒｔ  Ｓｙｎｃ  ｂｌｏｃｋ  Ａｒｅａ  ）は、この機能のために用いられるものであり、１ブロック３０ビットで構成され、６１ブロックある。その後ろにＴＩＡ（Ｔｒａｃｋ  Ｉｎｆｏｒｍａｔｉｏｎ  Ａｒｅａ）がある。これは、３ブロック９０ビットで構成される。ＴＩＡは、トラック全体に関わる情報を格納するエリアであって、この中におおもとのＡｐｐｌｉｃａｔｉｏｎ  ＩＤであるＡＰＴ（Ａｐｐｌｉｃａｔｉｏｎ  ＩＤ  ｏｆ  ａ  Ｔｒａｃｋ  ）３ビット、トラックピッチを表すＳＰ／ＬＰ１ビット、リザーブ１ビット、それにサーボシステムの基準フレームを示すＰＦ（Ｐｉｌｏｔ  Ｆｒａｍｅ  ）１ビットの計６ビットが格納される。最後にマージンを稼ぐためのポストアンブル２８０ビットがある。
【００２８】
また上述の装置において、記録媒体の収納されるカセットにメモリＩＣの設けられた回路基板を搭載して、このカセットが装置に装着されるとこのメモリＩＣに書き込まれたデータを読み出して記録再生の補助を行うようにすることが既に提案されている。ここではこれをＭＩＣと呼ぶことにする。
【００２９】
ＭＩＣには、テープ長、テープ厚、テープ種類等のテープ自体の情報と共に、ＴＯＣ（Ｔａｂｌｅ  Ｏｆ  Ｃｏｎｔｅｎｔｓ  ）情報、インデックス情報、文字情報、再生制御情報、タイマー記録情報等を記憶しておくことができる。ＭＩＣを有するカセットテープをディジタルＶＣＲに接続すると、例えばＭＩＣに記憶されたデータが読み出され、所定のプログラムにスキップしたり、プログラムの再生順を設定したり、所定のプログラムの場面を指定して静止画（フォト）を再生したり、タイマー予約で記録したりすることが可能となる。
【００３０】
アプリケーションＩＤは、上述のＴＩＡエリアのＡＰＴだけでなく、このＭＩＣの中にもＡＰＭ（Ａｐｐｌｉｃａｔｉｏｎ  ＩＤ  ｏｆ  ＭＩＣ  ）として、アドレス０の上位３ビットに格納されている。アプリケーションＩＤの定義は、
アプリケーションＩＤはデータ構造を規定する、としている。
要するに、アプリケーションＩＤはその応用例を決めるＩＤではなく、単にそのエリアのデータ構造を決定しているだけである。従って、以下の意味付けがなされる。
ＡＰＴ・・・トラック上のデータ構造を決める。
ＡＰＭ・・・ＭＩＣのデータ構造を決める。
ＡＰＴの値により、トラック上のデータ構造が規定される。
【００３１】
つまり、ＩＴＩエリア以降のトラックが、図１２のようにいくつかのエリアに分割され、それらのトラック上の位置、シンクブロック構成、エラーからデータを保護するためのＥＣＣ構成等のデータ構造が一義に決まる。さらに各エリアには、それぞれそのエリアのデータ構造を決めるアプリケーションＩＤが存在する。その意味付けは単純に以下のようになる。
エリアｎのアプリケーション・・・エリアｎのデータ構造を決める。
【００３２】
アプリケーションＩＤは、図１３のような階層構造を持つ。おおもとのアプリケーションＩＤであるＡＰＴによりトラック上のエリアが規定され、その各エリアにさらにＡＰ１〜ＡＰｎが規定される。エリアの数は、ＡＰＴにより定義される。図１３では二階層で記されているが、必要に応じてさらにその下に階層を形成してもよい。ＭＩＣ内のアプリケーションＩＤであるＡＰＭは一階層のみである。その値は、ディジタルＶＣＲによりその機器のＡＰＴと同じ値が書き込まれる。
【００３３】
ところで、このアプリケーションＩＤシステムにより、家庭用のディジタルＶＣＲを、そのカセット、メカニズム、サーボシステム、ＩＴＩエリアの生成検出回路等をそのまま流用して、全く別の商品群、例えばデータストリーマーやマルチトラック・ディジタルオーディオテープレコーダーのようなものを作ることも可能である。また１つのエリアが決まってもその中味をさらに、そのエリアのアプリケーションＩＤで定義できるので、あるアプリケーションＩＤの値の時はそこはビデオデータ、別の値の時はビデオ・オーディオデータ、またはコンピューターデータというように非常に広範なデータ設定を行うことが可能になる。
【００３４】
次にＡＰＴ＝０００の時の様子を図１４Ａに示す。この図に示されるように、トラック上にエリア１、エリア２、エリア３が規定される。そしてそれらのトラック上の位置、シンクブロック構成、エラーからデータを保護するためのＥＣＣ構成、それに各エリアを保証するためのギャップや重ね書きを保証するためのオーバーライトマージンが決まる。さらに各エリアには、それぞれそのエリアのデータ構造を決めるアプリケーションＩＤが存在する。その意味付けは単純に以下のようになる。
ＡＰ１・・・エリア１のデータ構造を決める。
ＡＰ２・・・エリア２のデータ構造を決める。
ＡＰ３・・・エリア３のデータ構造を決める。
【００３５】
そしてこの各エリアのアプリケーションＩＤが、０００の時を以下のように定義する。
ＡＰ１＝０００・・ＣＶＣＲのオーディオ、ＡＡＵＸのデータ構造を採る
ＡＰ２＝０００・・ＣＶＣＲのビデオ、ＶＡＵＸのデータ構造を採る
ＡＰ３＝０００・・ＣＶＣＲのサブコード、ＩＤのデータ構造を採る
ここで
ＣＶＣＲ：家庭用ディジタル画像音声信号記録再生装置
ＡＡＵＸ：オーディオ予備データ
ＶＡＵＸ：ビデオ予備データ
と定義する。すなわち家庭用のディジタルＶＣＲを実現するときは、図１４Ｂに示すように、
ＡＰＴ、ＡＰ１、ＡＰ２、ＡＰ３＝０００
となる。当然、ＡＰＭも０００の値を採る。
【００３６】
ＡＰＴ＝０００の時には、ＡＡＵＸ、ＶＡＵＸ、サブコードおよびＭＩＣの各エリアは、すべて共通のパック構造で記述される。図１５に示すように、１つのパックは５バイト（ＰＣ０〜ＰＣ４）で構成され、先頭の１バイトがヘッダ、残りの４バイトがデータである。パックとは、データグループの最小単位のことで、関連するデータを集めて１つのパックが構成される。
【００３７】
ヘッダ８ビットは、上位４ビット、下位４ビットに分かれ、階層構造を形成する。図１６のように、上位４ビットを上位ヘッダ、下位４ビットを下位ヘッダとして二階層とされ、さらにデータのビットアサインによりその下の階層まで拡張することができる。この階層化により、パックの内容は明確に系統だてられ、その拡張も容易となる。そしてこの上位ヘッダ、下位ヘッダによる２５６の空間は、パックヘッダ表として、その各パックの内容と共に準備される。これを用いて、上述の各エリアが記述される。パック構造は５バイトの固定長を基本とするが、例外としてＭＩＣ内に文字データを記述する時のみ、可変長のパック構造を用いる。これは限られたバッファメモリを有効利用するためである。
【００３８】
図１７に、ヘッダのバイトＰＣ０が（６６ｈ）とされる、ＴＲパックのデータ配置を示す。パックのデータ構造としては、ヘッダに対応して多数存在するが、図１７に示すパックは、この発明と関連が強いものである。この図に示すように、データタイプ４ビットで各種信号を区別する。このデータタイプは、現在では次のように定義されている。
００００＝ＶＢＩＤ
０００１＝ＷＳＳ
００１０＝ＥＤＴＶ−２  ｉｎ  ２２ライン
００１１＝ＥＤＴＶ−２  ｉｎ  ２８５ライン
０１００＝Ｎｏ  Ｉｎｆｏｒｍａｔｉｏｎ
その他  ＝未定義
【００３９】
オーディオとビデオの各エリアは、それぞれオーディオセクタ、ビデオセクタと呼ばれる。図１８にオーディオセクタの構成を示す。なお、オーディオセクタは、プリアンブル、データ部およびポストアンブルからなる。プリアンブルは、５００ビットで構成され、ランアップ４００ビット、２つのプリシンクブロックからなる。ランアップは、ＰＬＬの引き込みのためのランアップパターンとして用いられ、プリシンクは、オーディオシンクブロックの前検出として用いられる。データ部は、１０５００ビットからなる。後ろのポストアンブルは、５５０ビットで構成され、１つのポストシンクブロック、ガードエリア５００ビットからなる。ポストシンクは、そのＩＤのシンク番号によりこのオーディオセクタの終了を確認させるものであり、ガードエリアは、アフレコしてもオーディオセクタがその後ろのビデオセクタに食い込まないようガードするためのものである。
【００４０】
プリシンク、ポストシンクの各ブロックは、図１９Ａおよび図１９Ｂに示すように、どちらも６バイトで構成される。プリシンクの６バイト目には、ＳＰ／ＬＰの判別バイトがある。（ＦＦｈ）でＳＰ、（００ｈ）でＬＰを表す。ポストシンクの６バイト目は、ダミーデータとして（ＦＦｈ）を格納する。ＳＰ／ＬＰの識別バイトは、前述のＴＩＡエリアにもＳＰ／ＬＰフラグとして存在するが、これはその保護用である。ＴＩＡエリアの値が読み取れれば、それを採用し、もし読み取り不可ならこのエリアの値を採用する。プリシンク、ポストシンクの各６バイトは、２４−２５変換（２４ビットのデータを２５ビットに変換して記録する変調方式）を施してから記録されるので、総ビット長は、
プリシンク    ６×２×８×２５÷２４＝１００ビット
ポストシンク  ６×１×８×２５÷２４＝  ５０ビット
となる。
【００４１】
オーディオシンクブロックは、図２０のように、９０バイトで１シンクブロックが構成される。前半の５バイトは、プリシンク、ポストシンクと同様の構成とされる。データ部は７７バイトで、水平パリティＣ１（８バイト）と垂直パリティＣ２（５シンクブロック）により保護されている。オーディオシンクブロックは、１トラック当たり１４シンクブロックからなり、これに２４−２５変換を施してから記録するので、総ビット長は、
９０×１４×８×２５÷２４＝１０５００ビット
となる。データ部の前半５バイトは、ＡＡＵＸ用で、これで１パックが構成され、１トラック当たり９パック用意される。図２０の０から８までの番号は、トラック内のパック番号を表す。
【００４２】
図２１は、そのＡＡＵＸの部分を抜きだして、トラック方向に記述した図である。１ビデオフレームは、５２５ライン／６０Ｈｚシステムの場合に１０トラックで、６２５ライン／５０Ｈｚシステムの場合に１２トラックで構成される。オーディオやサブコードもこの１ビデオフレームに従って記録再生される。図２１において、５０から５５までの数字は、パックヘッダの値（ＦＦｈ）を示す。
【００４３】
図２１からも分かるように、１０トラック内のＡＡＵＸとして、同じパックを１０回書いている。この部分をメインエリアと称する。ここには、オーディオ信号を再生するために必要なサンプリング周波数、量子化ビット数等の必須項目が主として格納される。なお、データ保護のために多数回書かれる。これにより、テープトランスポートにありがちな横方向の傷や片チャンネルクロッグ等が発生した場合でも、メインエリアのデータを再現できる。
【００４４】
それ以外の残りのパックは、すべて順番につなげてオプショナルエリアとして用いられる。図２１でａ、ｂ、ｃ、ｄ、ｅ、ｆ、ｇ、ｈ、……のように、矢印の方向にメインエリアのパックを抜かしてつなげていく。１ビデオフレームで、オプショナルエリアは３０パック（５２５ライン／６０Ｈｚ）、または３６パック（６２５ライン／５０Ｈｚ）用意される。このエリアは、文字どおりオプションなので、各ディジタルＶＣＲ毎に、パックヘッダ表のなかから自由にパックを選んで記述してよい。
【００４５】
図２２は、ビデオセクタの構成を示す。プリアンブルおよびポストアンブルの構成は、図２３に示されるオーディオセクタと同様である。ただし、ポストアンブルのガードエリアのビット数は、オーディオセクタのそれと比べて多くなっている。ビデオセクタ内に１４９個含まれるビデオシンクブロックは、図２３のようにオーディオと同じ９０バイトで１シンクブロックが構成される。
【００４６】
シンクブロックの先頭の５バイトは、プリシンク、ポストシンク、オーディオシンクと同様の構成である。データ部は７７バイトで、図２４のように水平パリティＣ１（８バイト）と垂直パリティＣ２（１１シンクブロック）により保護されている。図２４の上部２シンクブロックとＣ２パリティの直前の１シンクブロックはＶＡＵＸ専用のシンクで、７７バイトのデータはＶＡＵＸデータとして用いられる。ＶＡＵＸ専用シンクとＣ２シンク以外は、ＤＣＴ（離散コサイン変換）を用いて圧縮されたビデオ信号のビデオデータが格納される。ビデオデータは、２４−２５変換を施してから記録するので、ビデオセクタの総ビット長は、
９０×１４９×８×２５÷２４＝１１１７５０ビット
である。
【００４７】
図２４は、ビデオセクタの１４９シンクブロックを縦に並べたものである。図２４において、中央部の１３５シンクブロックが、ビデオ信号の格納エリアである。図中、ＢＵＦ０からＢＵＦ２６は、それぞれバッファリングユニットを示している。１バッファリングユニットは、５シンクブロックで構成され、１トラックに２７個のバッファリングユニットが含まれる。また、１ビデオフレーム、１０トラックでは、２７０バッファリングユニット存在する。つまり、１フレームの画像データのうち、画像として有効なエリアを抜き出し、そこをサンプリングしたディジタルデータを実画像の様々な部分からシャッフリングして集め２７０個のグループが形成される。その１グループが、１バッファリングユニットである。
【００４８】
１バッファリングユニット毎に、ＤＣＴ変換、量子化、可変長符号化等によってデータ圧縮を試み、発生する符号化データが目標データ量以下かどうかが評価される。そして、発生データ量が目標値以下となるような量子化ステップが決定され、決定された量子化ステップを用いて実際の符号化がなされる。そして、発生した符号化データが１バッファリングユニット、５シンクに詰め込まれる。
【００４９】
さらに、図２５は、サブコードセクタの構成を示す。サブコードセクタのプリアンブル、ポストアンブルには、オーディオセクタやビデオセクタと異なりプリシンクおよびポストシンクが存在しない。また他のセクタよりも、その長さが長くなっている。これは、サブコードセクタがインデックス打ち込みなど頻繁に書き換える用途に用いられ、また、トラック最後尾にあるためトラック前半のずれが全部加算された形でそのしわ寄せがくるためである。サブコードシンクブロックは、図２６のように高々１２バイトしかない。前半の５バイトは、プリシンク、ポストシンク、オーディオシンク、ビデオシンクと同様の構成である。続く５バイトはデータ部で、これらによってパックが構成される。
【００５０】
水平パリティＣ１は、２バイトであり、これがデータ部を保護している。また、オーディオデータおよびビデオデータのようにＣ１、Ｃ２によるいわゆる積符号構成は、サブコードでは、採用されていない。これは、サブコードが主として高速サーチ用のものであり、Ｃ１パリティと共にＣ２パリティまで再生できることが少ないからである。また、２００倍程度まで高速サーチするために、シンク長も１２バイトと短くしてある。サブコードシンクブロックは、１トラック当り１２シンクブロックあり、これに２４−２５変換を施してから記録するので、サブコードセクタの総ビット長は、
１２×１２×８×２５÷２４＝１２００ビット
である。
【００５１】
以下、この発明の一実施例について説明する。この一実施例は、基本的には、ＰＡＬｐｌｕｓ信号をディジタルＶＣＲによってカセットテープに記録し、また、カセットテープからＰＡＬｐｌｕｓ信号を再生することを可能とするものである。そして、再生されたＰＡＬｐｌｕｓ信号がＰＡＬｐｌｕｓのデコーダに供給され、ＰＡＬｐｌｕｓの再生画像を得ることができる。このディジタルＶＣＲでは、コンポジットカラービデオ信号がディジタル輝度信号Ｙ、色差信号ＣＲ  およびＣＢ  に分離され、ＤＣＴ（Ｄｉｓｃｒｅｔｅ  Ｃｏｓｉｎｅ  Ｔｒａｎｓｆｏｒｍ）  と可変長符号を用いた高能率符号化方式により圧縮されて記録される。
【００５２】
この発明においては、変調垂直解像度補強信号（以下、変調ヘルパー信号と称する）を復調し垂直解像度補強信号（以下、ヘルパー信号と称する）とし、ＰＡＬｐｌｕｓ方式のコンポーネント信号における輝度信号Ｙとして記録する。この記録のための信号処理の際に、このヘルパー信号には、所定のレベルのＤＣオフセット値（以下、ＤＣセットアップ値と称する）が付加される。
【００５３】
このとき、上述したように、ヘルパー信号が存在する無画部と画像信号の存在する主画部にＤＣＴブロックが跨がると、これらの信号のレベル段差によりヘルパー信号に圧縮歪が生じる。この、主画部との境界付近のヘルパー信号は、例えば画面の中央部の垂直解像度補強を行なうものであった場合、主画部の中央部に上述の図３１のような画像障害となって現れる。
【００５４】
図１は、ラインとＤＣＴブロックの割り当てとの関係を示す。なお、ここでは、図の左上隅を基準としてＤＣＴブロックの割り当てが行なわれているものとし、この場合、無画部と主画部の境界が問題となるため、説明は立て方向の割り当てのみとし、横方向への割り当てについての説明を省略する。このＤＣＴブロックの割り当ては、フレーム単位で行なわれ、第２３ラインが有効エリアの開始位置とされる。
【００５５】
輝度信号Ｙにおいて、第２３ラインから８ラインずつ下方に向けＤＣＴブロックが割り当てられる。すると、ＤＣＴブロックの先頭のラインは、例えば第１０ブロック目では、第１フィールドにおいては、２３（ライン）＋８（ライン）／２×９（ブロック）＝５９（ライン）となり、また、第２フィールドにおいては、３３５＋８／２×９＝３７１（ライン）となる。したがって、ＤＣＴブロックは、この第１０ブロック目において、図１のブロックＡに示されるように、第１フィールドにおいては第５９ライン〜第６２ラインまで、また、第２フィールドにおいては第３７１ライン〜第３７４ラインまでを占めてしまい、第５９ライン〜第６０ライン、第３７１ライン〜第３７２ラインの、上部無画部および主画部との境界を跨いでしまう。
【００５６】
一方、下部無画部および主画部との境界については、ＤＣＴブロックの先頭のラインは、例えば第６３ブロック目では、第１フィールドにおいては、２３＋８／２×６３＝２７５（ライン）となり、また、第２フィールドにおいては、３３５＋８／２×６３＝５８７（ライン）となる。下部無画部および主画部との境界は、第１フィールドにおいては第２７４ライン〜第２７５ライン、また、第２フィールドにおいては、第５８６ライン〜第５８７ラインである。したがって、この場合には、ＤＣＴブロックは、図１のブロックＢおよびブロックＣに示すように、境界を跨がない。
【００５７】
色差信号ＣＲ  およびＣＢ  については、線順次化されているため、線順次化されていない輝度信号Ｙに対し、ＤＣＴブロックが実質的に２倍のライン数を占めてしまう。したがって、図１のブロックＤ、ブロックＥ、ブロックＦ、ブロックＧに示すように、上部無画部および下部無画部の両方において、主画部との境界を跨いでしまう。しかし、この発明においては、ヘルパー信号は、輝度信号Ｙとして記録されおり、無画部の期間の色差信号ＣＢ  およびＣＲ  は、垂直解像度補強に関与しておらず、したがって、ＤＣＴにおけるヘルパー信号の圧縮歪による画像障害といった問題は発生し得ない。
【００５８】
そのため、この発明においては、この圧縮歪を無くすために、ＰＡＬｐｌｕｓ信号をディジタルＶＣＲに記録する際に、ＤＣＴブロックが主画部に跨がる領域、すなわち、上述の、第６０ライン〜第６２ラインおよび第３７２ライン〜第３７４ラインにおけるＤＣＴブロックの輝度信号Ｙのレベルを、ヘルパー信号のＤＣセットアップ値と等しくしている。
【００５９】
図２は、上述したテープフォーマット上にＰＡＬｐｌｕｓ信号を記録する際の全体の構成の例を示す。入力端子１がＹ／Ｃ分離回路２、ＷＳＳ検出回路３、および同期分離回路１５に共に接続される。同期分離回路１５がＹ／Ｃ分離回路２に接続される。ＷＳＳ検出回路３がＷＳＳ再書き込み回路４に接続され、ＷＳＳ再書き込み回路４がディジタルＶＣＲ５０のデータ入力端子５１に接続される。ヘルパーキラーモードコントローラ５がＷＳＳ再書き込み回路４およびＰＡＬｐｌｕｓ記録側処理回路６の入力端子２０に共に接続される。
【００６０】
Ｙ／Ｃ分離回路２のＹ信号出力端がローパスフィルタ７ａに接続される。Ｙ／Ｃ分離回路２の信号Ｃ／ヘルパー信号出力端がＰＡＬデコーダ８に接続され、ＰＡＬデコーダ８のＣＢ  信号／ヘルパー信号出力端およびＣＲ  信号出力端がそれぞれローパスフィルタ７ｂ、７ｃに接続される。ローパスフィルタ７ａ、７ｂ、７ｃがＡ／Ｄ変換器９ａ、９ｂ、９ｃにそれぞれ接続される。
【００６１】
Ａ／Ｄ変換器９ａがＰＡＬｐｌｕｓ記録側処理回路６の入力端子２５に接続される。Ａ／Ｄ変換器９ｂがＰＡＬｐｌｕｓ記録側処理回路６の入力端子３２に接続される。Ａ／Ｄ変換器９ｃがＰＡＬｐｌｕｓ記録側処理回路６の入力端子３３に接続される。
【００６２】
ＰＡＬｐｌｕｓ記録側処理回路６の出力端子３７がディジタルＶＣＲ５０の入力端子５２に接続される。ＰＡＬｐｌｕｓ記録側処理回路６のデータ出力端子３１がディジタルＶＣＲ５０のデータ入力端子５４に接続される。ＰＡＬｐｌｕｓ記録側処理回路６の出力端子３８が線順次化回路１０のＣＢ  信号入力端に接続される。ＰＡＬｐｌｕｓ記録側処理回路６の出力端子３９が線順次化回路１０のＣＲ  信号入力端に接続される。線順次化回路１０の出力がディジタルＶＣＲ５０の入力端子５３に接続される。
【００６３】
入力端子１に、例えばアンテナによって受信されたＰＡＬｐｌｕｓ方式の放送がチューナを介しＰＡＬｐｌｕｓ信号とされ、供給される。供給されたこのＰＡＬｐｌｕｓ信号は、Ｙ／Ｃ分離回路２およびＷＳＳ検出回路３に共に供給される。また、この入力端子１から供給されたＰＡＬｐｌｕｓ信号は、同期分離回路１５にも供給され、垂直および水平同期信号が分離抽出される。これら分離抽出された同期信号は、入力端子１から供給される信号が無画部か主画部かを表すパルスとしてＹ／Ｃ分離回路２に供給されると共に、図示しないが、装置全体を制御するためのラインカウンタに供給され、ラインのカウントが行なわれる。
【００６４】
Ｙ／Ｃ分離回路２は、周波数多重化されている輝度信号Ｙおよび搬送色信号Ｃを分離するものであって、ラインカウンタからのカウント値によって、バンドパスタイプの動作とくし形タイプの動作とを切り替えることが可能とされている。この例では、同期分離回路１５からこのＹ／Ｃ分離回路２に対し供給されるパルスによって、入力端子１から供給されている信号が無画部か主画部かが判断される。そして、主画部の信号が供給されていると判断されれば、くし形タイプの動作によってＹ／Ｃ分離が行なわれる。一方、ヘルパー信号が搬送色信号Ｃに挿入されている、無画部の信号が供給されていると判断されれば、バンドパスタイプの動作によってＹ／Ｃ分離が行なわれ、変調ヘルパー信号に対して悪影響が出ないようにされる。
【００６５】
これら分離された信号のうち、搬送色信号ＣがＰＡＬ信号デコーダ８に供給され、色差信号Ｂ−ＹおよびＲ−Ｙとされる。このうち、色差信号Ｂ−Ｙには、上述した、垂直解像度補強信号であるヘルパー信号が無画部、すなわち、第２４ライン〜第５９ライン、第２７５ライン〜第３１０ライン、第３３６ライン〜第３７１ライン、および第５８７ライン〜第６２２ラインに挿入されている。
【００６６】
Ｙ／Ｃ分離回路２出力されたＹ信号がローパスフィルタ７ａに供給される。また、ＰＡＬデコーダ８から出力された、色差信号Ｂ−Ｙおよび色差信号Ｒ−Ｙがローパスフィルタ７ｂ、７ｃにそれぞれ供給される。これらローパスフィルタ７ａ、７ｂ、７ｃによって余分な高域成分を除去されたＹ信号および色差信号Ｂ−Ｙ、色差信号Ｒ−Ｙは、Ａ／Ｄ変換器９ａ、９ｂ、９ｃにそれぞれ供給される。
【００６７】
なお、図示しないが、ヘルパー信号が挿入された色差信号Ｂ−Ｙが供給されるローパスフィルタ７ｂは、上述したラインカウンタのカウント値に基づいて制御される。すなわち、カウント値が無画部に対応した値になると、このローパスフィルタ７ｂは、そのフィルタ機能がＯＦＦとされる。これは、ヘルパー信号には、ヘルパー機能に対し有効な高域成分が多く含まれており、ローパスフィルタによってこの高域成分がカットされるのを避けるためである。
【００６８】
Ａ／Ｄ変換器９ａ、９ｂ、９ｃにそれぞれ供給された輝度信号Ｙおよび色差信号Ｂ−Ｙ、色差信号Ｒ−Ｙは、ＣＣＩＲ  ＲＥＣ６０１で規定されたレベルになるよう正規化され、ディジタル化される。このＣＣＩＲ  ＲＥＣ６０１の規定においては、白のレベルの最大値がディジタル値で‘２３５’、および黒のレベル（ペデスタルレベル）が‘１６’とされる。また、色差信号に関しては、レベル‘１２８’がグレーレベルとされ、最小レベルが‘１６’、および最大レベルが‘２４０’のディジタル値とされる。図３は、この正規化の例を示す。Ａ／Ｄ変換器９ａ、９ｂ、９ｃでは、これに基づいて正規化が行なわれる。
【００６９】
なお、以下の説明においては、‘  ’で囲まれた数値は、デジタル値を表す。また、正規化された色差信号Ｒ−Ｙ、色差信号Ｂ−Ｙは、それぞれ色差信号ＣＲ  、色差信号ＣＢ  と称され、以後の信号処理は、輝度信号Ｙも含め、ディジタル処理とされる。
【００７０】
このようにしてＡ／Ｄ変換器９ａ、９ｂ、９ｃによって正規化が行なわれた信号は、ＰＡＬｐｌｕｓ記録側処理回路６の対応する入力端子にそれぞれ供給される。すなわち、輝度信号Ｙが入力端子２５に、無画部にヘルパー信号が挿入された色差信号ＣＢ  が入力端子３２に、また、色差信号ＣＲ  が入力端子３３にそれぞれ供給される。
【００７１】
一方、ＷＳＳ検出回路３には、上述のラインカウンタから出力されたカウント値が供給されている（図示しない）。このカウント値に基づき、ＷＳＳ検出回路３に供給されたＰＡＬｐｌｕｓ信号は、その信号の第２３ライン中のＷＳＳ信号が検出され、この検出されたＷＳＳ信号がデコードされＷＳＳ書き換え回路４に供給される。
【００７２】
上述したように、検出されたこのＷＳＳ信号は、ヘルパー信号の有無の識別、あるいはアスペクト比などの、ＰＡＬｐｌｕｓの各モードの識別、制御用の情報を含むものである。このＷＳＳ信号が供給されたＷＳＳ書き換え回路４によって、その内容が書き換え可能とされる。書き換え可能とされたこのＷＳＳ信号は、ディジタルＶＣＲ５０のデータ入力端子５１に供給される。そして、このディジタルＶＣＲ５０において、上述のＴＲパックに書き込まれる。
【００７３】
ヘルパーキラーモードコントロール回路５からのヘルパーキラー信号がＷＳＳ書き換え回路４、およびＰＡＬｐｌｕｓ記録側処理回路６のヘルパーキラー入力端子２０に共に供給される。このヘルパーキラーモードコントロール回路５は、外部からの入力などによってヘルパー機能をＯＦＦ、すなわち、ＰＡＬｐｌｕｓ方式における垂直解像度補強の機能をカットするものである。
【００７４】
これは、例えばＰＡＬｐｌｕｓ方式によるビデオ信号の記録において、ＰＡＬｐｌｕｓ方式に対応していないビデオレコーダや、ディジタルＶＣＲとして記録帯域が狭いものが用いられた場合などに使用される。２値データであるＷＳＳ信号は、高域成分を多く含んでいるため、通常のビデオ信号と同じ方法で記録されると信号に歪が生じる。このように記録された信号がＰＡＬｐｌｕｓ方式に対応しているテレビジョン受像機などで再生された場合、この歪を含んだＷＳＳ信号が復調された際に、このＷＳＳ信号に含まれる、ＰＡＬｐｌｕｓ方式における識別、制御用信号が正しく復元されず、受像機が誤動作を起こしてしまう可能性がある。
【００７５】
また、通常の搬送色信号より高い周波数帯域を有するヘルパー信号が十分に記録できない場合、再生時に、ヘルパー信号による垂直解像度補強の効果が出ないばかりではなく、画面に悪影響を及ぼす可能性もある。
【００７６】
これらの場合、このヘルパーキラーモードコントロール回路５によってヘルパー機能をＯＦＦとする。すると、ＷＳＳ信号書き換え回路４においては、第２３ラインにおけるＷＳＳ信号のデータがＰＡＬｐｌｕｓ方式ではないことを示す内容に書き替えられる。また、ＰＡＬｐｌｕｓ記録側処理回路６においては、詳細は後述するが、ヘルパー信号の期間、すなわち無画部における輝度信号Ｙがディジタル値で‘１６’の信号とすげ替えられ、また、色差信号ＣＢ  およびＣＲ  が共に‘１２８’のレベルの信号とすげ替えられる。さらに、ＷＳＳ信号が記録されている第２３ラインが‘６４’のレベルの信号にすげ替えられる。これらにより、ＷＳＳ信号の不完全な記録による悪影響およびヘルパー信号による画面への悪影響が防がれる。
【００７７】
図４は、上述のＰＡＬｐｌｕｓ記録側処理回路６の構成の一例を示す。この回路は、色差信号ＣＢ  に挿入されている、復調されたヘルパー信号を、輝度信号Ｙとして記録するようにするものである。
【００７８】
入力端子２０がヘルパーキラー回路２３に接続される。入力端子２５がスイッチ回路２１の入力端２１ａに接続される。入力端子３２がスイッチ回路２６の入力端２６ａおよびＤＣレベルシフト回路２４に共に接続される。レベルシフト回路２４がスイッチ回路２１の入力端２１ｂに接続される。スイッチ回路２１の共通出力端がスイッチ回路２２の入力端２２ａに接続される。入力端子３３がスイッチ回路２７の入力端２７ａに接続される。
【００７９】
スイッチ回路２２の入力端２２ｂが‘６４’の値を持つディジタルレベル源に接続される。スイッチ回路２６の入力端２６ｂが‘１２８’の値を持つディジタルレベル源に接続される。スイッチ回路２７の入力端２７ｂが‘１２８’の値を持つディジタルレベル源に接続される。
【００８０】
スイッチ回路２２の共通出力端がヘルパーキラー回路２３の輝度信号Ｙ／ヘルパー信号入力端に接続される。スイッチ回路２６の共通出力端がヘルパーキラー回路２３のＣＢ  信号入力端に接続される。スイッチ回路２７の共通出力端がヘルパーキラー回路２３のＣＲ  信号入力端に接続される。
【００８１】
ヘルパーキラー回路２３の輝度信号Ｙ／ヘルパー信号出力端が出力端子３７に接続される。ヘルパーキラー回路２３のＣＢ  信号出力端が出力端子３８に接続される。ヘルパーキラー回路２３のＣＲ  信号出力端が出力端子３９に接続される。
【００８２】
無画部の期間にヘルパー信号が挿入された色差信号ＣＢ  が入力端子３２を介してスイッチ回路２６の入力端２６ａに供給されると共に、ＤＣレベルシフト回路２４に供給される。このＤＣレベルシフト回路２４は、供給された色差信号ＣＢ  に対し、所定のＤＣオフセット（ＤＣセットアップ値と称される）を付加する。このＤＣオフセットは、上述のＡ／Ｄ変換器９ｂにおける色差信号ＣＢ  の正規化の値に対応し、例えば、ディジタル値で‘６４’のレベルとされる。このＤＣセットアップ値は、勿論、第２３ラインの後半に挿入され、復調されたヘルパー基準信号、および、無画部に挿入され、復調されたヘルパー信号にも付加される。このＤＣセットアップ値が付加された色差信号ＣＢ  は、スイッチ回路２１の入力端２１ｂに供給される。
【００８３】
また、入力端子３３を介し、色差信号ＣＲ  がスイッチ回路２７の入力端２７ａに供給される。
【００８４】
入力端子２５を介し、スイッチ回路２１の入力端２１ａに輝度信号Ｙが供給される。このスイッチ回路２１は、上述した、装置全体の制御のためのラインカウンタからのカウント値によって制御され、無画部の期間および第２３ラインにおいては入力端２１ｂが、また、主画部の期間においては入力端２１ａが選択される。
【００８５】
すなわち、図２８を参照し、第２３ライン〜第５９ラインの上部無画部では出力端２１ｂが選択され、第６０ライン〜第２７４の主画部では出力端２１ａが選択され、第２７５ライン〜第３１０ラインの下部無画部では出力端２１ｂが選択される。また、第３３６ライン〜第３７１ラインの上部無画部では出力端２１ｂが選択され、第３７２ライン〜第５８６ラインの主画部では出力端２１ａが選択され、第５８７ライン〜第６２２の下部無画部では出力端２１ｂが選択される。
【００８６】
また、色差信号ＣＢ  が供給されているスイッチ回路２６、および、色差信号ＣＲ  が供給されているスイッチ回路２７は、共に装置全体のためのラインカウンタからのカウント値によって制御され、無画部の期間においては、スイッチ回路２６では入力端２６ｂが、スイッチ回路２７では入力端２７ｂが、それぞれ選択される。そして、これらの入力端２６ｂ、２７ｂに供給されている、グレーレベルのディジタル値‘１２８’がそれぞれのスイッチ回路の共通出力端に導出される。
【００８７】
また、主画部の期間においては、スイッチ回路２６では入力端２６ａが、スイッチ回路２７では入力端２７ａがそれぞれ選択される。そして、色差信号ＣＢ  、ＣＲ  がスイッチ回路２６、２７の共通出力端にそれぞれ導出される。
【００８８】
このようにスイッチ回路２１、２６、２７を、無画部の期間および第２３ラインと、主画部の期間とで制御することによって、入力端子３２から供給された色差信号ＣＢ  からヘルパー信号の基準信号およびヘルパー信号が輝度信号Ｙの無画部の期間に挿入される。
【００８９】
スイッチ回路２１の共通出力端からの出力がスイッチ回路２２の入力端２２ａに供給される。このスイッチ回路２２の入力端２２ｂには、ＤＣレベルシフト回路２４におけるＤＣセットアップ値と等しい、‘６４’のレベルのディジタル値が供給されている。このスイッチ回路２２は、ラインカウンタからのカウント値によって制御されるもので、第６０ライン〜第６２ラインおよび第３７２ライン〜第３７４ラインにおいて、入力端２２ｂが選択される。また、これ以外のラインにおいては、入力端２２ａが選択される。
【００９０】
また、色差信号ＣＢ  、ＣＲ  が供給されているスイッチ回路２６、２７は、上述の第６０ライン〜第６２ラインおよび第３７２ライン〜第３７４ラインにおいて、それぞれ入力端２６ｂ、２７ｂが選択され、グレーレベル‘１２８’がそれぞれの共通出力端に導出される。
【００９１】
このようにスイッチ回路２２、２６、２７を制御することによって、上述した、ＤＣＴブロックに跨がる画像部の輝度信号Ｙのレベルを、輝度信号Ｙとして記録しようとするヘルパー信号のＤＣセットアップ値と等しくすることができる。この処理を行なうことによって、主画部と上部無画部の境界におけるレベル段差が抑えられる。したがって、この部分にＤＣＴブロックが跨がっても、ＤＣＴブロックに跨がったヘルパー信号における、主画部とのレベル段差に起因する圧縮歪の発生を抑えることができる。したがって、ＰＡＬｐｌｕｓ復調画の中央部における、このヘルパー信号の圧縮歪に起因する図３１に示したような横線の画像障害の発生が回避される。
【００９２】
スイッチ回路２２から出力された、無画部にヘルパー信号が挿入され第２３ラインにヘルパー信号の基準信号が挿入された輝度信号Ｙは、ヘルパーキラー回路２３のＹ信号／ヘルパー信号入力端に供給される。また、スイッチ回路２６、２７の出力端から出力された色差信号ＣＢ  、ＣＲ  は、それぞれヘルパーキラー回路２３のＣＢ  信号入力端、ＣＲ  信号入力端に供給される。
【００９３】
このヘルパーキラー回路２３は、上述したように、ヘルパーキラーコントロール回路５からヘルパーキラー入力端子２０を介して供給されたヘルパーキラー信号によって、このヘルパーキラーの機能のＯＮ／ＯＦＦが制御される。また、このヘルパーキラー回路２３は、装置全体の制御のためのラインカウンタからのカウント値によっても制御される。
【００９４】
このヘルパーキラー回路２３は、入力の信号系統に対応した複数のスイッチ回路およびこれらのスイッチ回路に所定のレベルのディジタル値を供給するディジタルレベル源から構成される。ヘルパーキラー機能がＯＮとされているとき、これらのスイッチ回路およびディジタルレベル源によって、ＷＳＳ信号が挿入されている第２３ラインおよび無画部の期間において、輝度信号Ｙ（この期間においては、ヘルパー基準信号およびヘルパー信号）がレベル‘１６’のペデスタルレベルにすげ替えられ、色差信号ＣＢ  およびＣＲ  が共にレベル‘１２８’のグレーレベルにすげ替えられ、各信号の出力端に導出される。また、主画部の期間においては、各信号入力端から供給された信号は、何も処理されずに、そのまま各信号の出力端に導出される。
【００９５】
一方、ヘルパーキラー機能がＯＦＦとされているときには、全ラインにおいて、各信号入力端から供給された信号は、何も処理されずに、そのまま各信号の出力端に導出される。
【００９６】
ヘルパーキラー回路２３のＹ信号／ヘルパー信号出力端から出力された、無画部にヘルパー信号が挿入された輝度信号Ｙは、記録輝度信号Ｙとして出力端子２０５に供給される。また、ヘルパーキラー回路２３のＣＢ  信号から出力された色差信号ＣＢ  が記録色差信号ＣＢ  として出力端子３８に供給される。ＣＲ  信号出力端から出力された色差信号ＣＲ  が記録色差信号ＣＲ  として出力端子３９に供給される。
【００９７】
ＰＡＬｐｌｕｓ記録側処理回路６の出力端子３７から出力された記録輝度信号ＹがディジタルＶＣＲ５０の入力端子５２に供給される。また、出力端子３８、３９から出力された記録色差信号ＣＢ  および記録色差信号ＣＲ  は、線順次化回路１０に供給され、線順次化された色差信号ＣＢ  ／ＣＲ  とされ、ディジタルＶＣＲ５０の入力端子５３に供給される。
【００９８】
図５に、上述のＰＡＬｐｌｕｓ記録側処理回路６から出力された信号を記録するためのディジタルＶＣＲ５０の構成の一例を示す。図５において、入力端子５２、５３には、コンポーネントカラービデオ信号である記録輝度信号Ｙおよび記録色差信号ＣＢ  ／ＣＲ  が供給される。このうち、記録輝度信号Ｙには、無画部の期間にヘルパー信号が挿入されている。
【００９９】
供給されたこれら記録輝度信号Ｙおよび記録色差信号ＣＢ  ／ＣＲ  が有効情報抽出回路５５に供給される。有効情報抽出回路５５で、垂直ブランキング期間や水平ブランキング期間等、有効画面外ののデータが落とされ、有効画面内のデータだけが抽出される。ここで、有効ラインとしては、第１フィールドの第２３ライン〜第３１０ラインと、第２フィールドの第３３５ライン〜第６２２ラインとされている。
【０１００】
ＰＡＬｐｌｕｓでは、アスペクト比のデータや、ヘルパー信号の有無等の識別信号などを示すＷＳＳ信号が第２３ラインに、白１００％のリファレンス信号が第６２３ラインに挿入されているが、第６２３ラインは有効ライン内にないので、ここで除去される。
【０１０１】
有効情報抽出回路５５の出力がブロック化及びシャフリング回路５６に供給される。ブロック化及びシャフリング回路５６で、（８×８）のブロックにブロック化され、そして、圧縮が画面全体で平均化されると共に、ヘッドのクロッグやテープの損傷等でデータが集中的に欠落するのを防ぐために、シャフリングがなされる。
【０１０２】
ブロック化及びシャフリング回路５６の出力が圧縮回路５７に供給される。圧縮回路５７は、ＤＣＴ変換と、可変長符号化により、ビデオデータを圧縮するものである。すなわち、圧縮回路５７は、ＤＣＴ変換回路と、ＤＣＴ変換されたデータを量子化する量子化器と、総符号量を推定し最適な量子化器を決定するエスティメータと、２次元ハフマン符号を用いてデータを圧縮する可変長符号化回路とを有している。圧縮回路５７で、（８×８）の時間領域のデータが（８×８）の周波数領域の係数データに変換され、これが量子化され、可変長符号化される。
【０１０３】
圧縮回路５７の出力がフレーム化回路５８に供給される。フレーム化回路５８で、所定のシンクブロック中に所定の規則で、ビデオデータが詰め込まれる。フレーム化回路５８の出力がＶＡＵＸ付加回路５９に供給される。ＶＡＵＸ付加回路５９には、ＶＡＵＸ発生回路６０から、ＶＡＵＸデータが供給される。ＶＡＵＸ発生回路６０には、コントローラ８０からデータがＶＡＵＸデータが与えられる。ＶＡＵＸ付加回路５９でＶＡＵＸデータが付加されたビデオデータは、マルチプレクサ６１に供給される。
【０１０４】
入力端子５１には、図２に示すＷＳＳ書き換え回路４からＴＲパックに書き込まれるデータとして、ＷＳＳデータが供給される。供給されたこのデータは、コントローラ８０に供給される。ＶＡＵＸ発生回路６０から発生されるＶＡＵＸデータには、これらのデータが含まれている。具体的には、ＶＡＵＸに図１９に示すＴＲパック（ヘッダ６６ｈ）が設けられ、識別信号のデータがこのＴＲパックに記録される。上述したように、このＴＲパックのＰＣ１〜ＰＣ３にはＷＳＳデータが記録される。
【０１０５】
また、入力端子６２には、オーディオ信号が供給される。このオーディオ信号がＡ／Ｄコンバータ６３に供給される。Ａ／Ｄコンバータ６３で、オーディオ信号がディジタル化される。このオーディオ信号がオーディオ信号処理回路６４に供給される。オーディオ処理回路６４で、オーディオデータが所定のシンクブロック内に詰め込まれる。オーディオ信号処理回路６４の出力がＡＡＵＸ付加回路６５に供給される。
【０１０６】
ＡＡＵＸ付加回路６５には、コントローラ８０からの制御の基に、ＡＡＵＸ発生回路６６から、ＡＡＵＸデータが供給される。ＡＡＵＸ付加回路６５で、オーディオデータにＡＡＵＸデータが付加される。このＡＡＵＸデータが付加されたオーディオデータがマルチプレクサ回路６１に供給される。
【０１０７】
サブコード発生回路６７で、サブコードが発生される。サブコードデータは、高速サーチの際に用いられる。このサブコードデータがマルチプレクサ回路６１に供給される。
【０１０８】
マルチプレクサ回路６１で、ビデオデータと、オーディオデータと、サブコードデータとが切り換えられる。このマルチプレクサ回路６１の出力がエラー訂正符号化回路６８に供給される。エラー訂正符号化回路６８で、記録データにエラー訂正符号が付加される。エラー訂正符号化回路６８の出力がチャネルエンコーダ６９に供給される。チャネルエンコーダ６９で、記録データが２４／２５変換される。ここで、更に、ディジタル記録に適したパーシャルレスポンスクラス４のコーディング処理が行われる。チャネルエンコーダ６９の出力が記録アンプ（図示せず）を介してヘッド７０に供給され、上述したフォーマットで記録テープに記録される。
【０１０９】
図６は、このようにして記録テープ上に記録される各信号レベルの例を示す。これらのうち、図６Ａの示す第２３ラインの信号レベルでは、記録輝度信号Ｙにはヘルパー信号が挿入されているため、第２３ラインにはヘルパー信号のリファレンス信号が乗せられている。このリファレンス信号がＤＣセットアップ値‘６４’に対し‘５４’だけ沈み込んだレベルとされ記録される。
【０１１０】
図６Ｂは、無画部、すなわち、第２４ライン〜第５９ライン、第２７５ライン〜第３１０ライン、第３３６ライン〜第３７１ライン、および第５８７ライン〜第６２２ラインでの信号レベルを示す。なお、ここでは、ヘルパーキラー機能がＯＦＦであるものとする。このように、この無画部の区間に挿入されているヘルパー信号は、ＤＣセットアップ値‘６４’を中心に、最大で‘１０８’の広がりを有する。この最大値のレベルは、上述のＡ／Ｄ変換器９ａによって正規化された値である。
【０１１１】
また、この無画部の期間においては、記録色差信号ＣＢ  ／ＣＲ  には何も信号は現れない。
【０１１２】
図６Ｃは、主画部、すなわち、第６０ライン〜第２７４ライン、および第３７２ライン〜第５８６ラインにおける信号レベルを示す。この期間については、通常のＰＡＬｐｌｕｓ方式の信号レベルとされている。記録輝度信号Ｙは、最大値が白１００％のリファレンスレベルであって‘２３５’とされ、最小値がペデスタルレベルである‘１６’とされる。また、記録色差信号ＣＢ  ／ＣＲ  についても同様で、‘１２８’のレベルを中心に±‘１１２’の広がりを有し、最小値が‘１６’、最大値が‘２４０’とされる。
【０１１３】
図６Ｄは、主画部の上３ライン、すなわち、第６０ライン〜第６２ライン、および第３７２ライン〜第３７４ラインを示す。この期間においては、ディジタルＶＣＲ５０の圧縮回路５７におけるＤＣＴ圧縮による圧縮歪が生じるのを避けるため、記録輝度信号ＹがＤＣセットアップ値であるレベル‘６４’に、また、記録色差信号ＣＢ  ／ＣＲ  がレベル‘１２８’の無彩色のレベルにミュートされる。
【０１１４】
図６Ｅは、第６２３ラインにおける白１００％レベルのリファレンス信号を示す。この信号は、テープ上に記録されない。
【０１１５】
次に、上述のような方法によって磁気テープ上に記録された信号を再生する場合について説明する。図７は、この再生系のディジタルＶＣＲ１００の構成の一例を示す。図７において、ヘッド１０１の再生信号は、再生アンプ（図示せず）を介して、チャンネルデコーダ１０２に供給される。チャンネルデコーダ１０２で、再生信号が復調される。チャンネルデコーダ１０２の出力がエラー訂正回路１０３に供給される。エラー訂正回路１０３により、エラー訂正処理がなされる。エラー訂正回路１０３の出力がデマルチプレクサ１０４に供給される。
【０１１６】
デマルチプレクサ１０４により、オーディオエリアの再生データと、ビデオエリアの再生データと、サブコードエリアの再生データとが分けられる。
【０１１７】
オーディオエリアの再生データは、オーディオ処理回路１０７に供給される。また、オーディオエリアの再生データ中のＡＡＵＸデータがＡＡＵＸデコード回路１０８で検出される。このＡＡＵＸデータがコントローラ１２０に供給される。オーディオ処理回路１０７で、時間軸変換、補間等の処理がなされる。オーディオ処理回路１０７の出力がＤ／Ａコンバータ１１０に供給される。Ｄ／Ａコンバータ１１０の出力が出力端子１１１から出力される。
【０１１８】
ビデオエリアの再生データは、デフレーム回路１０５に供給される。また、ビデオエリアの再生データ中のＶＡＵＸデータがＶＡＵＸデコード回路１０６で検出される。このＶＡＵＸデータがコントローラ１２０に供給される。
【０１１９】
なお、ＶＡＵＸのＴＲパックのＰＣ１〜３からは、ＷＳＳデータが得られる。このＷＳＳデータは、データ出力端子１１７から出力され、後述するＷＳＳ信号エンコーダ１５２に送られる。
【０１２０】
サブコードエリアの再生データは、サブコードデコード回路１０９で検出される。このサブコードデータがコントローラ１２０に供給される。
【０１２１】
デフレーム回路１０５の出力が伸長回路１１２に供給される。伸長回路１１２は、可変長符号の復号と、逆ＤＣＴ変換により、圧縮記録されていたビデオ信号を元の時間領域のビデオ信号に変換するものである。伸長回路１１２の出力がデシャフリング及びデブロック化回路１１３に供給される。デシャフリング及びデブロック化回路１１３からは、再生コンポーネントカラービデオ信号Ｙ、Ｃが得られる。これらの信号のうち、信号Ｃは、色差信号ＣＢ  、ＣＲ  が線順次化されたものである。
【０１２２】
この再生コンポーネントカラービデオ信号Ｙ、Ｃが情報付加回路１１４に供給される。情報付加回路１１４は、水平同期信号や垂直同期信号等を付加するものである。この情報付加回路１１４の出力のうち、再生輝度信号Ｙが出力端子１１５から出力され、再生色信号Ｃが出力端子１１６から出力される。なお、この場合、再生輝度信号Ｙには、上述したように、記録時に無画部の期間にヘルパー信号が挿入されている。したがって、この再生輝度信号Ｙも、無画部の期間にヘルパー信号を含むものである。
【０１２３】
図８は、上述のディジタルＶＣＲ１００から出力されたＰＡＬｐｌｕｓ再生信号を処理するための、全体の構成の一例を示す。ディジタルＶＣＲ１００の出力端子１１６が線順次補間回路１５０に接続される。線順次補間回路１５０のＣＢ  ／ヘルパー信号出力およびＣＲ  出力がＰＡＬｐｌｕｓ再生側処理回路１５１の入力端子２００、２０１にそれぞれ接続される。ディジタルＶＣＲ１００の出力端子１１５がＰＡＬｐｌｕｓ再生側処理回路１５１の入力端子２０２に接続される。ディジタルＶＣＲ１００のデータ出力端子１１７がＷＳＳエンコーダ１５２に接続される。ＷＳＳエンコーダ１５２がスイッチ回路１５６の入力端１５６ａに接続される。
【０１２４】
ヘルパーキラーモードコントロール回路１５３がＷＳＳ信号エンコーダ１５２およびＰＡＬｐｌｕｓ再生側処理回路１５１の入力端子２０４に接続される。ＰＡＬｐｌｕｓ再生側処理回路１５１の出力端子２０５、２０６、２０７がＤ／Ａ変換器１５４ａ、１５４ｂ、１５４ｃにそれぞれ接続される。Ｄ／Ａ変換器１５４ａがＰＡＬエンコーダ１５５のＹ信号入力端に接続され、Ｄ／Ａ変換器１５４ｂがＰＡＬエンコーダ１５５のＢ−Ｙ／ヘルパー信号入力端に接続され、Ｄ／Ａ変換器１５４ｃがＰＡＬエンコーダ１５５のＲ−Ｙ入力端に接続される。
【０１２５】
ＰＡＬエンコーダ１５５のＹ信号出力端がスイッチ回路１５６の入力端１５６ｂに接続される。ＰＡＬエンコーダ１５５のＣ／ヘルパー信号出力端がＹ／Ｃ混合回路１５７のＣ／ヘルパー信号入力端に接続されると共に、Ｙ／Ｃ分離出力端１５８のＣ出力端子１６０に接続される。加算器１５６がＹ／Ｃ混合回路１５７のＹ信号入力端に接続されると共に、Ｙ／Ｃ分離出力端１５８の出力端子１５９に接続される。Ｙ／Ｃ混合回路１５７のコンポジット信号出力端が出力端子１６１に接続される。
【０１２６】
ディジタルＶＣＲ１００の出力端子１１５から出力された再生輝度信号ＹがＰＡＬｐｌｕｓ再生側処理回路１５１の入力端子２０２に供給される。なお、図示しないが、出力端子１１５からから供給された再生輝度信号Ｙは、同期分離回路にも供給され、垂直および水平同期信号が分離抽出される。これら分離抽出された同期信号が装置全体を制御するためのラインカウンタに供給され、ラインのカウントが行なわれる。
【０１２７】
ディジタルＶＣＲ１００の出力端子１１６から出力された再生色信号Ｃが線順次補間回路１５０に供給される。線順次化された再生色信号Ｃは、この線順次補間回路１５０において、上述したラインカウンタから出力されたカウント値に基づき制御され、色差信号ＣＢ  および色差信号ＣＲ  に振り分けられる。色差信号ＣＢ  は、ＰＡＬｐｌｕｓ再生側処理回路１５１の入力端子２００に供給され、色差信号ＣＲ  は、入力端子２０１に供給される。
【０１２８】
ディジタルＶＣＲ１００のデータ出力端子１１７から、ＷＳＳデータが出力される。ＷＳＳエンコーダ１５２において、このＷＳＳデータがエンコードされ、ＰＡＬｐｌｕｓ方式のテレビジョン受像機などが認識可能な信号とされる。また、このＷＳＳエンコーダ１５２において、ヘルパー信号の基準信号が生成される。これらＷＳＳ信号およびヘルパー信号の基準信号が第２３ラインとしての所定の位置に配され、スイッチ回路１５６の入力端１５６ａに供給される。
【０１２９】
ヘルパーキラーモードコントロール回路５３からのヘルパーキラー信号がＷＳＳエンコーダ１５３、およびＰＡＬｐｌｕｓ再生側信号処理回路１５１の入力端子２０４に共に供給される。このヘルパーキラーモードコントロール回路５３は、上述の、図２に示した記録側の構成におけるヘルパーキラーモードコントロール回路５と同様、外部からの入力などによってヘルパー機能をＯＦＦ、すなわち、ＰＡＬｐｌｕｓ方式における垂直解像度補強の機能をカットするものである。
【０１３０】
これは、例えば、ＰＡＬｐｌｕｓ方式の映像信号を、ＰＡＬｐｌｕｓ方式に対応していない、ＰＡＬ方式のテレビジョン受像機などで映出させる際に特に必要とされる機能である。ＰＡＬ方式のテレビジョン受像機のアスペクト比は、（４：３）とされており、これにＰＡＬｐｌｕｓ方式の画面を映出させると、図２７Ａに示すように、上下に無画部が配されたレターボックス形式の画面として映出される。この上下の無画部にはヘルパー信号が挿入されており、このヘルパー信号が色のちらつきなどの画像障害となって無画部に映出されてしまう。
【０１３１】
このような場合、このヘルパーキラーモードコントロール回路１５３によってヘルパー機能をＯＦＦとする。すると、ＰＡＬｐｌｕｓ再生側処理回路１５１において、無画部の期間の信号が、再生輝度信号Ｙについてはディジタル値で‘１６’のレベル、すなわちペデスタルレベルに、また、ヘルパー信号が挿入されている再生色差信号ＣＢ  、ＣＲ  については共にディジタル値で‘１２８’のレベル、すなわち無彩色のレベルとすげ替えられる。また、ＷＳＳエンコーダ１５２においては、ＷＳＳ信号が挿入されている第２３ラインの信号がディジタル値で‘１６’のレベルにミュートされる。
【０１３２】
このようにヘルパーキラー機能を働かせることによって、上下の無画部に現れる画面の障害を無くすることができる。
【０１３３】
また、このヘルパーキラーの機能は、ＰＡＬｐｌｕｓ方式の映像信号をＰＡＬｐｌｕｓ方式に対応したテレビジョン受像機で再生する際、例えば記録されている信号の質が悪いなどといったような、何らかの理由により、ヘルパー信号による垂直解像度補強の機能が有効に働かないようなときに使用しても効果がある。
【０１３４】
図９は、上述のＰＡＬｐｌｕｓ再生側処理回路１５１の構成の一例を示す。入力端子２０２がＤＣレベルシフト回路２１１およびヘルパーキラー回路２１０のＹ信号入力端に接続される。ＤＣレベルシフト回路２１１がスイッチ回路２１２の入力端２１２ｂに接続される。入力端子２００がスイッチ回路２１２の入力端２１２ａに接続される。スイッチ回路２１２の共通出力端がヘルパーキラー回路２１０のＣＢ  信号／ヘルパー信号入力端に接続される。入力端子２１２がヘルパーキラー回路２１０のＣＲ  信号入力端に接続される。入力端子２０４がヘルパーキラー回路２１０のヘルパーキラー信号入力端に接続される。ヘルパーキラー回路２１０のＹ信号出力端が出力端子２０５に接続され、ＣＢ  信号／ヘルパー信号出力端が出力端子２０６に接続され、ＣＲ  信号出力端が出力端子２０７に接続される。
【０１３５】
再生輝度信号Ｙが入力端子２０２を介し、ヘルパーキラー回路２１０のＹ信号入力端に供給されると共に、ＤＣレベルシフト回路２１１に供給される。この供給された再生輝度信号Ｙには、上述したような記録装置によって、無画部の期間に、所定のＤＣセットアップ値が付加されたヘルパー信号が挿入され、また、第２３ラインにＤＣセットアップ値が付加されたヘルパー信号の基準信号が挿入されている。このＤＣレベルシフト回路２１１において、この付加されたＤＣセットアップ値が取り除かれる。この場合、この回路の出力側に配されるスイッチ回路２１２（後述する）によって、無画部の期間に信号が選択的に後段に供給されるため、このＤＣレベルシフト回路２１１においては、再生輝度信号Ｙの全体にわたってＤＣレベルのシフトが行なわれても、問題とはならない。ＤＣセットアップ値を除去されたこの再生輝度信号Ｙは、スイッチ回路２１２の入力端２１２ｂに供給される。
【０１３６】
入力端子２００を介し、再生色差信号ＣＢ  がスイッチ回路２１２の入力端２１２ａに供給される。このスイッチ回路２１２は、装置全体の制御のためのラインカウンタ（図示しない）からのカウント値によって制御され、カウント値が上下の無画部を示す値のときには入力端２１２ｂが選択され、主画部を示す値のときには入力端２１２ａが選択される。また、第２３ラインを示す値のときにも入力端２１２ｂが選択される。
【０１３７】
すなわち、図２８を参照し、第２３ライン〜第５９ラインの上部無画部では出力端２１２ｂが選択され、第６０ライン〜第２７４の主画部では出力端２１２ａが選択され、第２７５ライン〜第３１０ラインの下部無画部では出力端２１２ｂが選択される。また、第３３６ライン〜第３７１ラインの上部無画部では出力端２１２ｂが選択され、第３７２ライン〜第５８６ラインの主画部では出力端２１２ａが選択され、第５８７ライン〜第６２２の下部無画部では出力端２１２ｂが選択される。
【０１３８】
このようにスイッチ回路２１２を主画部の期間および無画部の期間において制御することによって、再生輝度信号Ｙの無画部の期間に挿入されているヘルパー信号が再生色差信号ＣＢ  の無画部の期間に挿入される。また、再生輝度信号Ｙの第２３ラインに挿入されているヘルパー信号の基準信号が再生色差信号ＣＢ  の第２３ラインに挿入される。このようにして、所定のライン位置にヘルパー信号およびヘルパー信号の基準信号を挿入された再生色差信号ＣＢ  は、スイッチ回路２１２の共通出力端からヘルパーキラー回路２３のＣＢ  信号／ヘルパー信号入力端に供給される。
【０１３９】
入力端子２０１を介し、再生色差信号ＣＲ  がヘルパーキラー回路２１０のＣＲ  信号入力端に供給される。
【０１４０】
このヘルパーキラー回路２１０は、上述したように、ヘルパーキラーコントロール回路１５３からヘルパーキラー入力端子２０を介して供給されたヘルパーキラー信号によって、このヘルパーキラーの機能のＯＮ／ＯＦＦが制御される。また、このヘルパーキラー回路２１０は、装置全体の制御のためのラインカウンタからのカウント値によっても制御される。
【０１４１】
このヘルパーキラー回路２１０は、入力の信号系統に対応した複数のスイッチ回路およびこれらのスイッチ回路に所定のレベルのディジタル値を供給するディジタルレベル源から構成される。ヘルパーキラー機能がＯＮとされているとき、これらのスイッチ回路およびディジタルレベル源によって、ＷＳＳ信号が挿入されている第２３ラインおよび無画部の期間において、再生輝度信号Ｙがレベル‘１６’のペデスタルレベルにすげ替えられ、再生色差信号ＣＢ  （この期間においては、ヘルパー基準信号およびヘルパー信号）およびＣＲ  が共にレベル‘１２８’のグレーレベルにすげ替えられ、各信号の出力端に導出される。また、主画部の期間においては、各信号入力端から供給された信号は、何も処理されずに、そのまま各信号の出力端に導出される。
【０１４２】
一方、ヘルパーキラー機能がＯＦＦとされているときには、全ラインにおいて、各信号入力端から供給された信号は、何も処理されずに、そのまま各信号の出力端に導出される。
【０１４３】
ヘルパーキラー信号回路２１０のＹ信号出力端から出力された再生輝度信号Ｙが出力端子２０５に供給される。また、ＣＢ  信号／ヘルパー信号出力端から出力された、第２３ラインにヘルパー信号の基準信号が挿入され、無画部にヘルパー信号が挿入された再生色差信号ＣＢ  が出力端子２０６に供給される。ＣＲ  信号出力端から出力された再生色差信号ＣＲ  が出力端子２０７に供給される。
【０１４４】
ＰＡＬｐｌｕｓ再生側処理回路１５１の、出力端子２０５から出力された再生輝度信号Ｙ、出力端子２０６から出力された、無画部に期間にヘルパー信号が挿入され、第２３ラインにヘルパー信号の基準信号が挿入された再生色差信号ＣＢ  、および出力端子２０７から出力された再生色差信号ＣＲ  は、Ｄ／Ａ変換器１５４ａ、１５４ｂ、１５４ｃにそれぞれ供給される。供給されたこれらの信号は、アナログ信号に変換され、再生輝度信号Ｙ、無画部にアナログ変換されたヘルパー信号が挿入された色差信号Ｂ−Ｙ、および色差信号Ｒ−Ｙとされ、ＰＡＬエンコーダ１５５にそれぞれ供給される。なお、このＤ／Ａ変換器を介した以降の信号は、アナログ信号として処理される。
【０１４５】
ＰＡＬエンコーダ１５５は、線順次化回路を含み、供給された再生色差信号Ｂ−ＹおよびＲ−Ｙが線順次化される。この線順次化された信号は、変調され搬送色信号Ｃとして出力される。この搬送色信号Ｃには、第２３ラインにヘルパー基準信号が挿入され、無画部にヘルパー信号が挿入されている。この搬送色信号Ｃは、Ｙ／Ｃ混合回路１５７に供給されると共に、Ｙ／Ｃ分離出力端１５８の出力端子１６０に供給される。
【０１４６】
また、再生輝度信号ＹがＰＡＬエンコーダ１５５から出力され、スイッチ回路１５６の入力端１５６ｂに供給される。また、上述したように、このスイッチ回路１５６の入力端１５６ａには、ＷＳＳエンコーダ１５２から出力された、ＷＳＳ信号およびリファレンス信号が第２３ラインとしての所定の位置に配された信号が供給されている。
【０１４７】
このスイッチ回路は、装置全体の制御のためのラインカウンタ（図示しない）からのカウント値によって制御され、第２３ラインにおいて入力端１５６ａが選択され、その他のラインにおいては入力端１５６ｂが選択される。したがって、ＰＡＬエンコーダ１５５から供給される再生輝度信号Ｙは、第２３ラインにおいて、ＷＳＳエンコーダ１５２から供給された、ＷＳＳ信号およびリファレンス信号とすげ替えられる。それにより、再生輝度信号Ｙは、ＷＳＳ信号が第２３ラインに挿入され、本来のＰＡＬｐｌｕｓ方式の信号とされる。
【０１４８】
このＷＳＳ信号が挿入された再生輝度信号Ｙは、スイッチ回路１５６の共通出力端からＹ／Ｃ混合回路１５７に供給される。また、この再生輝度信号Ｙは、Ｙ／Ｃ分離出力端１５８の出力端子１５９にも供給される。
【０１４９】
Ｙ／Ｃ混合回路１５７に供給された、再生輝度信号Ｙおよび色信号Ｃは、混合され、ＰＡＬｐｌｕｓ方式のコンポジットビデオ信号とされ、出力端子１６１に導出される。
【０１５０】
なお、以上の説明は、この発明を６２５本／５０Ｈｚ方式であるＰＡＬｐｌｕｓ方式に適用させた例であるが、これはこの例に限定されるものではない。この発明は、５２５本／６０Ｈｚ方式において、画像信号中に垂直解像度補強信号が挿入された、例えば、ＥＤＴＶ−ＩＩ方式にも適用可能なものである。
【０１５１】
また、以上の説明においては、ＤＣＴブロックのサイズが（８×８）であるとしたが、この発明はこの例に限定されず、別のサイズのＤＣＴブロックにも適用可能なものである。
【０１５２】
また、以上の説明においては、ＤＣＴブロックが上部無画部と主画部との境界に跨がるものとしたが、これはこの例に限定されず、例えば、ＤＣＴブロックが下部無画部と主画部との境界に跨がる場合、あるいは、上部無画部および下部無画部と主画部との、両方の境界に跨がる場合にも適用可能なものである。
【０１５３】
また、この発明は、磁気テープに限らず、ディスク（再生専用ディスク、記録可能なディスク、書き換え可能なディスク）等の他の記録媒体を使用する場合に対しても適用できる。
【０１５４】
なお、この発明による処理によって、輝度信号Ｙが６ライン欠落するが、この欠落が画像全体に占める割合は、６（ライン）÷４３０（ライン）×１００＝１．４％と僅かであり、通常７％を占めるテレビジョンのオーバースキャン量を考慮した場合、問題とはならない。
【０１５５】
【発明の効果】
以上説明したように、この発明によれば、ディジタルＶＣＲにＰＡＬｐｌｕｓ信号を記録する際に、色搬送信号に挿入されているヘルパー信号を輝度信号として記録している。このときに、主画部の上部数ラインがヘルパー信号のＤＣセットアップ値と等しいレベルの信号に置き換えられているために、ＤＣＴブロックに跨がるヘルパー信号に圧縮歪が生じない。そのため、この圧縮歪に起因する、ＰＡＬｐｌｕｓ復調画の中央部に横線となって現れる画像障害の発生を抑える効果がある。
【図面の簡単な説明】
【図１】ラインとＤＣＴブロックの割り当てとの関係を示す略線図である。
【図２】この発明による、ＰＡＬｐｌｕｓ信号を記録する際の全体の構成の例を示すブロック図である。
【図３】信号のディジタル化における正規化の例を示す略線図である。
【図４】ＰＡＬｐｌｕｓ記録側処理回路の構成の一例を示す略線図である。
【図５】ディジタルＶＣＲの記録側の構成の一例を示すブロック図である。
【図６】記録テープ上に記録される各信号レベルの例を示す略線図である。
【図７】ディジタルＶＣＲの再生側の構成の一例を示すブロック図である。
【図８】この発明による、ＰＡＬｐｌｕｓ信号を再生する際の全体の構成の例を示すブロック図である。
【図９】ＰＡＬｐｌｕｓ再生側処理回路の構成の一例を示す略線図である。
【図１０】テープのトラックフォーマットを示す略線図である。
【図１１】テープのトラックフォーマットを示す略線図である。
【図１２】テープのトラックフォーマットを示す略線図である。
【図１３】アプリケーションＩＤの階層構造を示す略線図である。
【図１４】テープのトラックフォーマットを示す略線図である。
【図１５】パックの構造を示す略線図である。
【図１６】ヘッダの階層構造を示す略線図である。
【図１７】ＴＲパックのデータ構造を示す略線図である。
【図１８】テープのトラックフォーマットを示す略線図である。
【図１９】プリシンクおよびポストシンクの構成を示す略線図である。
【図２０】テープのトラックフォーマットを示す略線図である。
【図２１】テープのトラックフォーマットを示す略線図である。
【図２２】テープのトラックフォーマットを示す略線図である。
【図２３】テープのトラックフォーマットを示す略線図である。
【図２４】テープのトラックフォーマットを示す略線図である。
【図２５】テープのトラックフォーマットを示す略線図である。
【図２６】テープのトラックフォーマットを示す略線図である。
【図２７】現行のテレビジョンとＰＡＬｐｌｕｓ方式のテレビジョンの画面を示す略線図である。
【図２８】ＰＡＬｐｌｕｓ信号における伝送信号のラインおよび画素割り当ての詳細を示す略線図である。
【図２９】ＰＡＬｐｌｕｓ信号を示す略線図である。
【図３０】６２５本／５０Ｈｚ方式におけるディジタルＶＣＲのサンプリング規格を示す略線図である。
【図３１】ＤＣＴブロックが無画部と主画部との境界を跨ぐことを示す略線図である。
【図３２】圧縮歪による画像障害の例を示す略線図である。
【符号の説明】
２  Ｙ／Ｃ分離回路
６  ＰＡＬｐｌｕｓ記録側処理回路
８  ＰＡＬデコーダ
１０  線順次化回路
２１、２２、２６、２７、２１２  スイッチ回路
２３、２１０  ヘルパーキラー回路
２４、２１１  ＤＣレベルシフト回路
【図１】
0003624470.tif 000002
【図２】
0003624470.tif 000003
【図３】
0003624470.tif 000004
【図４】
0003624470.tif 000005
【図９】
0003624470.tif 000006
【図５】
0003624470.tif 000007
【図６】
0003624470.tif 000008
【図７】
0003624470.tif 000009
【図８】
0003624470.tif 000010
【図１０】
0003624470.tif 000011
【図１１】
0003624470.tif 000012
【図１２】
0003624470.tif 000013
【図１３】
0003624470.tif 000014
【図１４】
0003624470.tif 000015
【図１５】
0003624470.tif 000016
【図１６】
0003624470.tif 000017
【図１７】
0003624470.tif 000018
【図１８】
0003624470.tif 000019
【図１９】
0003624470.tif 000020
【図２０】
0003624470.tif 000021
【図２１】
0003624470.tif 000022
【図２２】
0003624470.tif 000023
【図２３】
0003624470.tif 000024
【図２４】
0003624470.tif 000025
【図２５】
0003624470.tif 000026
【図２６】
0003624470.tif 000027
【図２７】
0003624470.tif 000028
【図２９】
0003624470.tif 000029
【図２８】
0003624470.tif 000030
【図３０】
0003624470.tif 000031
【図３１】
0003624470.tif 000032
【図３２】
0003624470.tif 000033